(57)【要約】【課題】  デジタルカタログによるサービス提供において、利便性の高い表示システムを実現する。【解決手段】  カタログ画像データを投影するプロジェクタ１１０と、監視対象の動作を検知するカメラ１３０と、プロジェクタ１１０及びカメラ１３０と接続される情報処理装置１５０と、を有する表示システム１００であって、載置面に載置された商品に応じたカタログファイルを取得し、カメラ１３０に検知された、前記載置面に載置された商品の可動部の動作の動作内容を識別し、識別した動作内容が所定の動作内容であった場合に、取得されたカタログファイルに含まれる複数のカタログ画像データのうち、該動作内容に対応するカタログ画像データを選択して、プロジェクタ１１０に出力する。【選択図】図１
2015219741.tif 000002
【特許請求の範囲】
【請求項１】
表示情報を投影する投影装置と、監視対象の動作を検知する検知装置と、前記投影装置および前記検知装置と接続される情報処理装置と、を有する表示システムであって、
載置面に載置された物体に応じた物体情報を取得する取得手段と、
前記検知装置により検知された、前記載置面に載置された物体の可動部の動作の動作内容を識別する識別手段と、
前記識別手段により識別された動作内容が所定の動作内容であった場合に、前記取得手段により取得された前記物体情報に含まれる複数の表示情報のうち、該動作内容に対応する表示情報を選択して、前記投影装置に出力する出力手段と
を有することを特徴とする表示システム。
【請求項２】
表示情報を投影する投影装置と接続される情報処理装置であって、
載置面に載置された物体に応じた物体情報を取得する取得手段と、
前記載置面に載置された物体の可動部の動作の動作内容を識別する識別手段と、
前記識別手段により識別された動作内容が所定の動作内容であった場合に、前記取得手段により取得された前記物体情報に含まれる複数の表示情報のうち、該動作内容に対応する表示情報を選択して、前記投影装置に出力する出力手段と
を有することを特徴とする情報処理装置。
【請求項３】
前記物体に付されたタグに記録された、該物体を識別するための識別情報を読み出す読み出し装置と接続され、
前記取得手段は、前記読み出し装置により読み出された識別情報に応じた物体情報を取得することを特徴とする請求項２に記載の情報処理装置。
【請求項４】
前記識別手段は、
前記物体が有する可動部の動作が、前記識別情報と対応付けて予め規定された動作に合致するか否かを判定することにより、前記動作内容を識別することを特徴とする請求項３に記載の情報処理装置。
【請求項５】
前記出力手段は、
前記可動部の動作に対応する表示情報を選択することを特徴とする請求項４に記載の情報処理装置。
【請求項６】
音声情報を出力する音声出力装置と更に接続され、
前記出力手段は、
前記識別手段により識別された動作内容が所定の動作内容であった場合に、前記取得手段により取得された前記物体情報に含まれる複数の音声情報のうち、該動作内容に対応する音声情報を選択して、前記音声出力装置に出力することを特徴とする請求項２に記載の情報処理装置。
【請求項７】
前記識別手段は、更に、監視空間におけるユーザの動作の動作内容を識別することを特徴とする請求項２に記載の情報処理装置。
【請求項８】
前記識別手段は、前記ユーザの動作が、予め規定された動作と合致するか否かを判定することにより、前記動作内容を識別することを特徴とする請求項７に記載の情報処理装置。
【請求項９】
表示情報を投影する投影装置と、監視対象の動作を検知する検知装置と、前記投影装置および前記検知装置と接続される情報処理装置と、を有する表示システムの情報処理方法であって、
載置面に載置された物体に応じた物体情報を取得する取得工程と、
前記検知装置により検知された、前記載置面に載置された物体の可動部の動作の動作内容を識別する識別工程と、
前記識別工程において識別された動作内容が所定の動作内容であった場合に、前記取得工程において取得された前記物体情報に含まれる複数の表示情報のうち、該動作内容に対応する表示情報を選択して、前記投影装置に出力する出力工程と
を有することを特徴とする情報処理方法。
【請求項１０】
表示情報を投影する投影装置と接続される情報処理装置のコンピュータに、
載置面に載置された物体に応じた物体情報を取得する取得工程と、
前記載置面に載置された物体の可動部の動作の動作内容を識別する識別工程と、
前記識別工程において識別された動作内容が所定の動作内容であった場合に、前記取得工程において取得された前記物体情報に含まれる複数の表示情報のうち、該動作内容に対応する表示情報を選択して、前記投影装置に出力する出力工程と
を実行させるためのプログラム。
【発明の詳細な説明】
【技術分野】
【０００１】
本発明は表示システム、情報処理装置、情報処理方法及びプログラムに関する。
【背景技術】
【０００２】
近年、ショールームなどでは、展示物を載置するテーブルに液晶表示装置を設置し、当該展示物に関する様々な情報を表示する、いわゆる"デジタルカタログ"が普及している。展示物に関する様々な情報をデジタルカタログにより表示することで、アイキャッチ効果の高い展示を行うことができる。
【０００３】
しかしながら、液晶表示装置の場合、高価であるうえに、設置場所の制約が多く、一旦設置してしまうと設置位置や装置サイズの変更（つまり表示位置や表示サイズの変更）が困難であるといった問題がある。
【０００４】
これに対して、例えば、プロジェクタ等の投影装置を用いれば、安価で設置場所の制約も少なく、表示位置や表示サイズの変更等にも柔軟に対応することができる。つまり、投影装置を用いれば、デジタルカタログによりサービスを提供しようとする提供者にとって利便性の高い表示システムを構築することができる。
【発明の概要】
【発明が解決しようとする課題】
【０００５】
一方で、投影装置を用いた表示システムの場合、タッチパネル機能付きの液晶表示装置等のように、ユーザ操作（デジタルカタログにおいてページをめくったり、詳細説明を表示させたりするための操作）を受け付けることができない。
【０００６】
これに対して、例えば、タッチパネルや操作ボタン等のユーザ操作用のハードウェアをテーブルに設置する構成としたのでは、投影装置を用いた表示システムの利便性が損なわれることとなる。
【０００７】
本発明は上記課題に鑑みてなされたものであり、デジタルカタログによるサービスの提供において、利便性の高い表示システムを実現することを目的とする。
【課題を解決するための手段】
【０００８】
本発明の実施形態に係る表示システムは、以下のような構成を有する。すなわち、
表示情報を投影する投影装置と、監視対象の動作を検知する検知装置と、前記投影装置および前記検知装置と接続される情報処理装置と、を有する表示システムであって、
載置面に載置された物体に応じた物体情報を取得する取得手段と、
前記検知装置により検知された、前記載置面に載置された物体の可動部の動作の動作内容を識別する識別手段と、
前記識別手段により識別された動作内容が所定の動作内容であった場合に、前記取得手段により取得された前記物体情報に含まれる複数の表示情報のうち、該動作内容に対応する表示情報を選択して、前記投影装置に出力する出力手段とを有する。
【発明の効果】
【０００９】
本発明の各実施形態によれば、デジタルカタログによるサービスの提供において、利便性の高い表示システムを実現することが可能となる。
【図面の簡単な説明】
【００１０】
【図１】表示システムのシステム構成を示す図である。
【図２】表示システムの設置例を示す図である。
【図３】情報処理装置のハードウェア構成を示す図である。
【図４】商品カタログ情報及びカタログファイルの一例を示す図である。
【図５】第１のモーション情報の一例を示す図である。
【図６】第１のモーション情報に規定された動作内容の具体例を示す図である。
【図７】第２のモーション情報の一例を示す図である。
【図８】第２のモーション情報に規定された動作内容の具体例を示す図である。
【図９】情報処理装置の機能構成を示す図である。
【図１０】データ出力制御処理の流れを示すフローチャートである。
【発明を実施するための形態】
【００１１】
以下、本発明の各実施形態について添付の図面を参照しながら説明する。なお、以下の各実施形態において、「提供者」とは、各実施形態に係る表示システムを用いて、顧客に対してデジタルカタログによるサービスを提供する者を指すものとする。また、「ユーザ」とは、デジタルカタログによるサービスの提供を受ける（展示物に関する様々な情報を閲覧する）顧客を指すものとする。
【００１２】
なお、本明細書及び図面において、実質的に同一の機能構成を有する構成要素については、同一の符号を付することにより重複した説明を省く。
【００１３】
［第１の実施形態］
＜１．表示システムのシステム構成＞
はじめに、本実施形態に係る表示システムのシステム構成について説明する。図１は、表示システム１００のシステム構成を示す図である。
【００１４】
図１に示すように、表示システム１００は、投影装置の一例であるプロジェクタ１１０と、音声出力装置の一例であるスピーカ１２０と、モーションセンサの一例であるカメラ１３０と、情報処理装置１５０とを有する。また、表示システム１００は、物体（展示物である商品（商品のモックも含む））に付された商品タグ１９０を読み取るＲＦＩＤリーダ１４０を有する。なお、プロジェクタ１１０、スピーカ１２０、カメラ１３０、ＲＦＩＤリーダ１４０は、それぞれ情報処理装置１５０と接続されている。
【００１５】
プロジェクタ１１０は、情報処理装置１５０より送信される表示情報（カタログ画像データ）を、商品が載置される載置面に投影する。情報処理装置１５０より送信されるカタログ画像データには、載置面に載置された商品に関する様々な情報が含まれる。
【００１６】
スピーカ１２０は、情報処理装置１５０より送信される音声情報（カタログ音声データ）を出力する。情報処理装置１５０より送信されるカタログ音声データには、載置面に載置された商品に関連する音声が含まれる。
【００１７】
カメラ１３０は、載置面に商品が載置された場合に、所定の監視空間の撮影を開始し、撮影画像を情報処理装置１５０に送信する。カメラ１３０より送信される撮影画像は、情報処理装置１５０において所定の監視空間における監視対象の動作検知及び動作内容の識別に用いられる。つまり、カメラ１３０は監視対象の動作を検知するための検知装置として機能する。なお、ここでいう所定の監視空間における監視対象の動作には、載置面に載置された商品が有する可動部の動作と、デジタルカタログに対するユーザ操作の際のユーザの指または手の動作とが含まれる。
【００１８】
ＲＦＩＤ（Radio Frequency Identifier）リーダ１４０は、載置面に載置された商品に付されている商品タグ１９０を読み取る。商品に付されている商品タグには、ＲＦＩＤタグ１９１が内蔵されており、ＲＦＩＤリーダ１４０は、ＲＦＩＤタグ１９１と通信することで、ＲＦＩＤタグ１９１に記録された識別情報を読み取る。また、ＲＦＩＤリーダ１４０は、読み取った識別情報を情報処理装置１５０に送信する。
【００１９】
情報処理装置１５０は、データ出力制御プログラム１６０と、商品カタログ情報ＤＢ１７０と、モーション情報ＤＢ１８０とを有する。
【００２０】
データ出力制御プログラム１６０は、載置面に商品が載置されることでＲＦＩＤリーダ１４０より送信される識別情報に基づいて、載置面に載置された当該商品を特定する。また、特定した商品に関する様々な情報が記載されたカタログファイル（物体情報）を商品カタログ情報ＤＢ１７０より読み出す。更に、読み出したカタログファイルを構成する複数のカタログ画像データのうち、カメラ１３０より送信された撮影画像に基づいて識別された監視対象の動作内容に対応するカタログ画像データを選択し、プロジェクタ１１０に出力する。また、読み出したカタログファイルを構成する複数のカタログ音声データのうち、カメラ１３０より送信された撮影画像に基づいて識別された監視対象の動作内容に対応する音声データを選択し、スピーカ１２０に出力する。
【００２１】
＜２．表示システムの設置例＞
次に、表示システム１００を構成する各部の設置例について説明する。図２は、表示システム１００の設置例を示す図である。
【００２２】
図２に示すように、載置面２１０には、ＲＦＩＤリーダ１４０が配されており、商品２００（図２の例では自動車のモック）は、ＲＦＩＤリーダ１４０が配された位置に載置される。これにより、載置面２１０に商品２００が載置されたことを検知できるとともに、載置された商品２００に付された商品タグ１９０に記録されている当該商品の識別情報を読み取り、情報処理装置１５０に送信することができる。
【００２３】
載置面２１０には、載置面２１０の背面側に配されたプロジェクタ１１０によって画像データが投影されるリアプロジェクションフィルムまたは透過型スクリーンが取り付けられている。これにより、ユーザは、載置面２１０の表面側からカタログ画像データを閲覧することができる。
【００２４】
載置面２１０の表面側の端部には、スピーカ１２０が配されており、カタログ音声データを出力する。これにより、ユーザは、載置面２１０の近傍において、カタログ音声データを視聴することができる。
【００２５】
載置面２１０の表面側の端部には、載置面２１０上の所定の監視空間を撮影するカメラ１３０が配されている。これにより、所定の監視空間における監視対象の動作検知及び動作内容の識別に用いられる撮影画像を生成し、情報処理装置１５０に送信することができる。
【００２６】
＜３．情報処理装置のハードウェア構成＞
次に、情報処理装置１５０のハードウェア構成について説明する。図３は、情報処理装置１５０のハードウェア構成を示す図である。
【００２７】
図３に示すように、情報処理装置１５０は、ＣＰＵ（Central Processing Unit）３０１、ＲＯＭ（Read Only Memory）３０２、ＲＡＭ（Random Access Memory）３０３、記憶部３０４を備える。更に、接続部３０５、操作部３０６、表示部３０７を備える。なお、情報処理装置１５０の各部は、バス３０８を介して相互に接続されているものとする。
【００２８】
ＣＰＵ３０１は、記憶部３０４に格納された各種プログラムを実行するコンピュータである。
【００２９】
ＲＯＭ３０２は不揮発性メモリである。ＲＯＭ３０２は、記憶部３０４に格納された各種プログラムをＣＰＵ３０１が実行するために必要な、各種プログラム、データ等を格納する。具体的には、ＢＩＯＳ（Basic Input/Output System）やＥＦＩ（Extensible Firmware Interface）等のブートプログラムなどを格納する。
【００３０】
ＲＡＭ３０３は、ＤＲＡＭ（Dynamic Random Access Memory）やＳＲＡＭ（Static Random Access Memory）等の主記憶装置である。ＲＡＭ３０３は、各種プログラムがＣＰＵ３０１によって実行される際に展開される、作業領域として機能する。記憶部３０４は、ＣＰＵ３０１により実行される各種プログラムや各種プログラムを実行するために必要なデータ等を格納する。なお、データ出力制御プログラム１６０、商品カタログ情報ＤＢ１７０、モーション情報ＤＢ１８０は、記憶部３０４に格納されてもよい。
【００３１】
接続部３０５は、プロジェクタ１１０、スピーカ１２０、カメラ１３０、ＲＦＩＤリーダ１４０と接続するための接続部である。
【００３２】
操作部３０６は、情報処理装置１５０に対して各種指示を入力する際に用いられる。表示部３０７は、情報処理装置１５０の内部状態等を表示する。
【００３３】
＜４．商品カタログ情報ＤＢの説明＞
次に、情報処理装置１５０の商品カタログ情報ＤＢ１７０について説明する。図４（ａ）は、商品カタログ情報ＤＢ１７０に格納される商品カタログ情報４００の一例を示す図である。図４（ａ）に示すように、商品カタログ情報４００は、情報の項目として、"識別情報"と"カタログファイル"とを含む。"識別情報"には、商品を特定するための識別情報が格納される。"カタログファイル"には、それぞれの商品のカタログ画像データ及びカタログ音声データを含むカタログファイルが、商品を特定するための識別情報と対応付けて格納される。
【００３４】
図４（ａ）の例では、識別情報＝"ＡＡＡＡ"と対応付けて、カタログファイル＝"ファイルＣ１"が格納され、識別情報＝"ＢＢＢＢ"と対応付けて、カタログファイル＝"ファイルＣ２"が格納されている。
【００３５】
図４（ｂ）は、カタログファイルの詳細構成の一例を示す図である。図４（ｂ）に示すように、カタログファイル＝"ファイルＣ１"は、複数ページのカタログ画像データから構成されており、カタログ画像データＳＣ０００１は、ファイルＣ１の先頭ページのカタログ画像データであることを示している。また、カタログ画像データＳＣ０００２、ＳＣ０００３、ＳＣ０００４・・・は、それぞれ、２ページ目、３ページ目、４ページ目のカタログ画像データであることを示している。なお、隣接するページのカタログ画像データは、ユーザがページめくり操作を行うことで表示させることができる。
【００３６】
２ページ目のカタログ画像データＳＣ０００２には、詳細説明用のカタログ画像データＳＣ００２１が、カタログ画像データＳＣ０００２よりも１階層下の画像データとして添付されている。１階層下の画像データは、ユーザが詳細出力操作を行うことで表示させることができる。また、１階層下の画像データが表示されている状態では、ユーザが戻る操作を行うことで、１階層上の画像データ（カタログ画像データＳＣ０００２）に戻ることができる。なお、ページめくり操作、詳細出力操作、戻る操作の詳細は後述する。
【００３７】
同様に、３ページ目のカタログ画像データＳＣ０００３には、詳細説明用のカタログ画像データＳＣ００３１が、カタログ画像データＳＣ０００３よりも１階層下の画像データとして添付されている。
【００３８】
更に、４ページ目のカタログ画像データＳＣ０００４には、詳細説明用のカタログ画像データＳＣ００４１が、カタログ画像データＳＣ０００４よりも１階層下の画像データとして添付されている。
【００３９】
また、カタログ画像データＳＣ００４１には、更に、詳細説明用のカタログ音声データＳＤ００４２が、カタログ画像データＳＣ００４１よりも１階層下の音声データとして添付されている。１階層下の音声データは、ユーザが詳細出力操作を行うことで、出力させることができる。
【００４０】
具体的には、カタログ画像データＳＣ００４１が表示されている状態で、ユーザがカタログ音声データＳＤ００４２を出力させるための詳細出力操作を行うと、スピーカ１２０よりカタログ音声データＳＤ００４２が出力される。また、出力が完了すると、カタログ画像データＳＣ００４１が表示されている状態に戻る。
【００４１】
＜５．モーション情報ＤＢの説明その１＞
次に、情報処理装置１５０のモーション情報ＤＢ１８０について説明する。本実施形態に係る情報処理装置１５０のモーション情報ＤＢ１８０には、２種類のモーション情報が格納されている。第１のモーション情報は、載置面２１０に載置された商品２００と無関係に規定されたモーション情報（商品の種類に関わらず適用されるモーション情報）であり、第２のモーション情報は、載置面２１０に載置された商品２００固有のモーション情報である。
【００４２】
はじめに、第１のモーション情報について図５及び図６を用いて説明する。図５は、モーション情報ＤＢ１８０に格納される第１のモーション情報５００の一例を示す図である。図６は、第１のモーション情報５００に規定された動作内容の具体例を示す図である。
【００４３】
図５に示すように、第１のモーション情報５００は、情報の項目として、"動作内容"、"操作内容"、"呼び出すデータ"を含む。"動作内容"には、所定の監視空間（図６（ａ）の監視空間６１０参照）におけるユーザの指または手６００（図６（ａ）参照）の動作が規定されている。第１のモーション情報５００の例では、"動作内容"として、上下左右の通過（図６（ｂ）の矢印６２１、６２２参照）と、ホールドとが規定されている。なお、ホールドとは、所定の監視空間６１０において、所定時間、ユーザの指または手６００が同じ位置に停止している状態をいう。
【００４４】
"操作内容"には、"動作内容"に規定された動作が行われた場合に、情報処理装置１５０にて認識される操作内容が規定されている。具体的には、監視空間６１０において、ユーザの指または手６００が右から左に通過した場合、情報処理装置１５０では、次ページへのページめくり操作が行われたと認識する。また、監視空間６１０において、ユーザの指または手６００が左から右に通過した場合、情報処理装置１５０では、前ページへのページめくり操作が行われたと認識する。
【００４５】
更に、監視空間６１０において、ユーザの指または手６００が上から下に通過した場合、情報処理装置１５０では、画像データについての詳細出力操作が行われたと認識する。また、監視空間６１０において、ユーザの指または手６００が下から上に通過した場合、情報処理装置１５０では、戻る操作が行われたと認識する。更に、監視空間６１０において、ユーザの指または手６００がホールドした場合、情報処理装置１５０では、カタログ音声データについての詳細出力操作が行われたと認識する。
【００４６】
"呼び出すデータ"には、"操作内容"に規定された操作が行われたと認識した場合に、呼び出されるデータが規定されている。具体的には、次ページへのページめくり操作が行われたと認識した場合には、現在呼び出されているカタログ画像データの次のページのカタログ画像データを呼び出す。また、前ページへのページめくり操作が行われたと認識した場合には、現在呼び出されているカタログ画像データの前のページのカタログ画像データを呼び出す。また、カタログ画像データの詳細出力操作が行われたと認識した場合には、現在呼び出されているカタログ画像データの１階層下のカタログ画像データを呼び出す。また、戻る操作が行われたと認識した場合には、現在呼び出されているカタログ画像データの１階層上のカタログ画像データを呼び出す。更に、カタログ音声データの詳細出力操作が行われたと認識した場合には、現在呼び出されているカタログ画像データの１階層下のカタログ音声データを呼び出す。
【００４７】
＜６．モーション情報ＤＢの説明その２＞
次に、情報処理装置１５０のモーション情報ＤＢ１８０に格納される第２のモーション情報について、図７及び図８を用いて説明する。図７は、モーション情報ＤＢ１８０に格納される第２のモーション情報７００の一例を示す図である。図８は、第２のモーション情報７００に規定された動作内容の具体例を示す図である。
【００４８】
第２のモーション情報は、商品２００を特定するための識別情報ごとに管理されており、図７の例は、識別情報＝"ＡＡＡＡ"と対応付られたカタログファイル＝"ファイルＣ１"についての第２のモーション情報７００を示している。図７に示すように、第２のモーション情報７００は、情報の項目として、"動作内容"、"呼び出すデータ"とを含む。
【００４９】
"動作内容"には、所定の監視空間６１０における監視対象（ここでは商品２００）の可動部の動作が規定されている。図８（ａ）〜図８（ｃ）に示すように、商品２００（自動車のモック）には、可動部として、前ドア、後ドア、ボンネットが挙げられる。したがって、第２のモーション情報７００の例では、"動作内容"として、"前ドアを開ける"、"後ドアを開ける"、"ボンネットを開ける"が規定されている。
【００５０】
"呼び出すデータ"には、"動作内容"に規定された動作が行われた場合に、呼び出されるデータが規定されている。具体的には、"前ドアを開ける"動作が行われた場合には、カタログ画像データＳＣ００２１が呼び出される。なお、カタログ画像データＳＣ００２１は、自動車の前部座席から見た内部画像及びフロントガラスから見える景色を含む画像データである。
【００５１】
すなわち、カタログファイル＝"ファイルＣ１"のいずれかのカタログ画像データが載置面２１０に投影されている状態でユーザが商品２００の前ドアを開けると、載置面２１０には、自動車の前部座席から見た内部画像の画像データが投影される。更にフロントガラスから見える景色を示す画像データが投影される。
【００５２】
また、"後ドアを開ける"動作が行われた場合には、カタログ画像データＳＣ００３１が呼び出される。なお、カタログ画像データＳＣ００３１は、自動車の後部座席から見た内部画像を含む画像データである。すなわち、カタログファイル＝"ファイルＣ１"のいずれかのカタログ画像データが載置面２１０に投影されている状態でユーザが商品２００の後ドアを開けると、載置面２１０には自動車の後部座席から見た内部画像を含む画像データが投影される。
【００５３】
また、"ボンネットを開ける"動作が行われた場合には、カタログ画像データＳＣ００４１、ＳＤ００４２が呼び出される。なお、カタログ画像データＳＣ００４１は、ボンネットを開けた状態の画像（エンジンルームの画像）を含む画像データである。また、カタログ音声データＳＤ００４２は、自動車のエンジン音を含む音声データである。
【００５４】
すなわち、カタログファイル＝"ファイルＣ１"のいずれかのカタログ画像データが載置面２１０に投影されている状態でユーザがボンネットを開けると、載置面２１０には、エンジンルームの画像データが投影される。更に、スピーカ１２０よりエンジン音が出力される。
【００５５】
なお、第２のモーション情報７００の"動作内容"に規定された動作と反対の動作が行われた場合には、"動作内容"に規定された動作が行われる直前に載置面２１０に投影されていたカタログ画像データが投影されるものとする。あるいは、予め定められたカタログ画像データ（例えば、先頭ページを示すカタログ画像データ）が投影されるものとする。
【００５６】
例えば、前ドアが開かれた状態で、ユーザが前ドアを閉めると、載置面２１０に投影されていたカタログ画像データＳＣ００２１は、前ドアが開かれる直前に載置面２１０に投影されていたカタログ画像データに切り替わる。あるいは、先頭ページを示すカタログ画像データに切り替わる。
【００５７】
同様に、後ドアが開かれた状態で、ユーザが後ドアを閉めると、載置面２１０に投影されていたカタログ画像データＳＣ００３１は、後ドアが開かれる直前に載置面２１０に投影されていたカタログ画像データに切り替わる。あるいは、先頭ページを示すカタログ画像データに切り替わる。
【００５８】
同様に、ボンネットが開かれた状態で、ユーザがボンネットを閉めると、載置面２１０に投影されていたカタログ画像データＳＣ００４１は、ボンネットが開かれる直前に載置面２１０に投影されていたカタログ画像データに切り替わる。あるいは、先頭ページを示すカタログ画像データに切り替わる。
【００５９】
＜７．情報処理装置のデータ出力制御機能の機能構成＞
次に、情報処理装置１５０のデータ出力制御機能の機能構成について説明する。図９は、データ出力制御プログラム１６０が実行されることで実現されるデータ出力制御機能の機能構成を示す図である。
【００６０】
図９に示すように、データ出力制御機能には、商品識別部９０１と、動作内容識別部９０２と、データ選択部９０３と、データ出力部９０４とが含まれる。
【００６１】
商品識別部９０１は、載置面２１０に載置された商品２００を識別する。具体的には、ＲＦＩＤリーダ１４０より送信される識別情報を取得し、取得した識別情報に対応するカタログファイルを、商品カタログ情報ＤＢ１７０より読み出す。
【００６２】
動作内容識別部９０２は、モーション情報ＤＢ１８０より、第１のモーション情報５００を読み出す。また、モーション情報ＤＢ１８０より、商品識別部９０１において取得した識別情報に対応する第２のモーション情報７００を読み出す。また、カメラ１３０より送信される撮影画像を解析し、読み出した第１及び第２のモーション情報５００、７００において"動作内容"として規定されている動作に合致する動作が検知されたか否かを判定する。また、検知された場合に、動作内容が識別されたと判断し、データ選択部９０３に識別した動作内容を通知する。
【００６３】
データ選択部９０３は、動作内容識別部９０２より通知された動作内容に対応するカタログ画像データまたはカタログ音声データを選択する。
【００６４】
データ出力部９０４は、選択したカタログ画像データをプロジェクタ１１０に送信する。更に、カタログ音声データが選択された場合にあっては、選択されたカタログ音声データをスピーカ１２０に出力する。
【００６５】
＜８．データ出力制御処理の流れ＞
次に、情報処理装置１５０におけるデータ出力制御処理の流れについて説明する。図１０は、情報処理装置１５０におけるデータ出力制御処理の流れを示すフローチャートである。
【００６６】
ステップＳ１００１では、ＲＦＩＤリーダ１４０において商品タグ１９０が検知されたか否かを判定する。具体的には、商品識別部９０１が、ＲＦＩＤリーダ１４０より識別情報を受信した場合に、商品タグ１９０が検知されたと判定し、ステップＳ１００２に進む。
【００６７】
ステップＳ１００２において、商品識別部９０１は、受信した識別情報に基づいて、載置面２１０に載置された商品を特定する。
【００６８】
ステップＳ１００３において、商品識別部９０１は識別情報に対応するカタログファイルを商品カタログ情報ＤＢ１７０の商品カタログ情報４００より読み出す。更に、読み出したカタログファイルを構成する先頭ページのカタログ画像データ（初期画面）をプロジェクタ１１０に送信する。これにより、載置面２１０に載置された商品２００に対応するカタログファイルの先頭ページが載置面２１０に投影される。
【００６９】
ステップＳ１００４において、動作内容識別部９０２は、カメラ１３０より送信される撮影画像を解析し、監視対象の動作が検知されたか否かを判定する。ステップＳ１００４において、監視対象の動作が検知されなかったと判定された場合には、監視対象の動作が検知されるまで待機する。
【００７０】
ステップＳ１００４において、監視対象の動作が検知されたと判定された場合には、ステップＳ１００５に進む。ステップＳ１００５において、動作内容識別部９０２は、ステップＳ１００４において検知された動作の動作内容を識別する。
【００７１】
ステップＳ１００６において、動作内容識別部９０２は、識別した動作内容に対応するカタログ画像データまたはカタログ音声データを呼び出す。
【００７２】
ステップＳ１００７において、データ出力部９０４は、ステップＳ１００６において呼び出したカタログ画像データまたはカタログ音声データを、プロジェクタ１１０またはスピーカ１２０に出力する。
【００７３】
ステップＳ１００８において、商品識別部９０１は商品タグが継続して検知されているか否かを判定する。商品識別部９０１が、ＲＦＩＤリーダ１４０より識別情報を継続的に受信している場合には、商品タグが継続して検知されていると判定し、ステップＳ１００４に戻る。
【００７４】
一方、ステップＳ１００８において、商品タグが継続して検知されていないと判定された場合には、データ出力制御処理を終了する。
【００７５】
＜９．まとめ＞
以上の説明から明らかなように、本実施形態では、
・投影装置を用いて表示システムを構築した。
・載置面に載置された商品を識別するためにＲＦＩＤリーダを配し、ＲＦＩＤリーダにより読み出された識別情報に応じたカタログファイルを読み出す構成とした。
・モーションセンサとしてカメラを配し、監視空間における監視対象の動作を検知し、読み出したカタログファイルに含まれるデータのうち、検知した動作の動作内容に応じたデータを選択して出力する構成とした。
・監視対象として、ユーザの指または手の動作と、商品の可動部の動作とを監視し、それぞれの動作内容に応じたデータを選択する構成とした。
【００７６】
これにより、タッチパネルや操作ボタン等のユーザ操作用のハードウェアを載置面に設置することなく（つまり、投影装置を用いて表示システムを構築した場合の利便性を損なうことなく）、ユーザ操作を受け付けることが可能となる。この結果、デジタルカタログによるサービスの提供において、利便性の高い表示システムを実現することが可能となる。
【００７７】
［第２の実施形態］
上記第１の実施形態では、載置面２１０の背面側にプロジェクタ１１０を配し、カタログ画像データを載置面２１０の背面側に投影する構成としたが、本発明はこれに限定されない。例えば、載置面２１０の上方にプロジェクタ１１０を配し、載置面２１０の表面に投影する構成としてもよい。なお、載置面２１０の表面に投影する場合、載置面２１０には、正面投影型のスクリーンフィルムが取り付けられることとなる。
【００７８】
また、上記第１の実施形態では、載置面２１０の背面側にプロジェクタ１１０を配し、カタログ画像データを載置面２１０の背面側に直接投影する構成としたが、本発明はこれに限定されない。例えば、載置面２１０の背面側に反射ミラーを配し、反射ミラーを介してカタログ画像データを投影する構成としてもよい。
【００７９】
［第３の実施形態］
上記第１の実施形態では、商品の１つの可動部が動作した場合の処理について説明したが、例えば、商品の複数の可動部が同時に動作した場合の処理についても、種々のバリエーションが考えられる。具体的には、それぞれの可動部の動作内容に対応するカタログ画像データを読み出し、並列して投影する構成としてもよい。あるいは、それぞれの可動部の動作内容に対応するカタログ画像データを、所定時間ごとに自動的に切り替えて投影する構成としてもよい。
【００８０】
また、上記第１の実施形態では、第１のモーション情報５００として５種類の動作内容を例示し、第２のモーション情報７００として３種類の動作内容を例示したが、本発明はこれに限定されず、他の動作内容を規定してもよい。いずれにしても、監視対象の動作をモーションセンサで検知する構成とすることで、タッチパネル等を用いた場合と比べて、衛生的で指紋等による汚れの問題を回避できるうえ、可搬性も向上する。
【００８１】
また、上記第１の実施形態では、モーションセンサとしてカメラ１３０を配し、撮影画像を情報処理装置１５０に送信する構成としたが、本発明はこれに限定されない。例えば、モーションセンサにて撮影画像を解析し、監視対象の動作検知及び動作内容の識別のいずれか一方または両方を行うように構成してもよい。
【００８２】
上記実施形態に挙げた構成等に、その他の要素との組み合わせなど、ここで示した構成に本発明が限定されるものではない。これらの点に関しては、本発明の趣旨を逸脱しない範囲で変更することが可能であり、その応用形態に応じて適切に定めることができる。
【符号の説明】
【００８３】
１００                  ：表示システム
１１０                  ：プロジェクタ
１２０                  ：スピーカ
１３０                  ：カメラ
１４０                  ：ＲＦＩＤリーダ
１５０                  ：情報処理装置
１６０                  ：データ出力制御プログラム
１７０                  ：商品カタログ情報ＤＢ
１８０                  ：モーション情報ＤＢ
１９０                  ：商品タグ
１９１                  ：ＲＦＩＤタグ
２００                  ：商品
２１０                  ：載置面
４００                  ：商品カタログ情報
５００                  ：第１のモーション情報
７００                  ：第２のモーション情報
９０１                  ：商品識別部
９０２                  ：動作内容識別部
９０３                  ：データ選択部
９０４                  ：データ出力部
【先行技術文献】
【特許文献】
【００８４】
【特許文献１】特開２０１０−１２４２３７号公報
【図１】
2015219741.tif 000003
【図２】
2015219741.tif 000004
【図３】
2015219741.tif 000005
【図４】
2015219741.tif 000006
【図５】
2015219741.tif 000007
【図６】
2015219741.tif 000008
【図７】
2015219741.tif 000009
【図８】
2015219741.tif 000010
【図９】
2015219741.tif 000011
【図１０】
2015219741.tif 000012